(57)【特許請求の範囲】
【請求項１】
地面を掘り下げたタンク内に、透孔を有する基盤部上に該基盤部の一側方に突出し他側方で開口する中空で筒状の突出部を設けたユニット部材を、連結手段により上下および縦横に多数組み合わせて連結し、最上部に被覆手段を施した雨水等の貯留浸透施設において、
前記基盤部がプレート状の扁平面を有しており、該扁平面上に前記突出部を１または隙間をあけて複数設けてなり、
前記突出部が、先端に向かって漸次小径となる截頭円錐状に形成されて天壁が塞がった中空体からなっており、ユニット部材を縦方向に連結する際に、ユニット部材を上下に交互に倒立させて、各突出部が垂直な同一線上に並ぶように連結してなることを特徴とする雨水等の貯留浸透施設。
【発明の詳細な説明】
【０００１】
【発明が属する技術分野】
この発明は、通水性を有する構造体や自然水を貯留する構造体、あるいは水上に浮かべ、また水中に沈める構造体その他各種用途に使用することができるユニット部材に関する。
【０００２】
【従来の技術】
本発明者は、すでに特公平４−２６６４８号において容器状部材を縦横かつ上下に配設した構造体を用いて雨水等の貯留浸透施設とする構造を提案したが、更に汎用性に優れたユニット部材の開発を行い、本発明を完成するに至った。
【０００３】
【発明が解決しようとする課題】
この発明は、基盤部上に１または複数の筒状突出部を設けて強度を高めると共に、複数連結して通水性を有して自然水などを貯留する雨水等の貯留浸透施設を提供することにある。
【０００４】
【発明を解決するための手段】
この発明は上記課題を解決するため、請求項１の雨水等の貯留浸透施設の発明では、
地面を掘り下げたタンク内に、透孔を有する基盤部上に該基盤部の一側方に突出し他側方で開口する中空で筒状の突出部を設けたユニット部材を、連結手段により上下および縦横に多数組み合わせて連結し、最上部に被覆手段を施した雨水等の貯留浸透施設において、
前記基盤部がプレート状の扁平面を有しており、該扁平面上に前記突出部を１または隙間をあけて複数設けてなり、
前記突出部が、先端に向かって漸次小径となる截頭円錐状に形成されて天壁が塞がった中空体からなっており、ユニット部材を縦方向に連結する際に、ユニット部材を上下に交互に倒立させて、各突出部が垂直な同一線上に並ぶように連結してなることを特徴とする。
【０００５】
【発明の実施の形態】
以下に、この発明の雨水等の貯留浸透施設に用いるユニット部材の実施例について図面を参照しつつ説明する。
図１に示すユニット部材１は、プレート状の基盤部２と、該基盤部２上に突設された筒状突出部３とからなっている。
即ち、筒状突出部３は１または複数であってもよいが図示例では１つだけ設けた場合を例示している。
この筒状突出部３は基盤部２の底面に開口３ａを有しており、基盤部２と一体に形成されている。
この筒状突出部３の頂部は、開口しあるいは閉塞していてもよいが、図示例では天壁３ｂで塞がった構成からなっている。
更に、筒状突出部３は、多角形や楕円形などの任意の断面形状が採られるが、図示例では断面円形の円筒形状からなっている。
また、この筒状突出部３は上方に向かって漸次小径となるよう周壁が断面テーパ状に形成されており、截頭円錐形状となっている。
【０００６】
上記構成からなっているので、ユニット部材１は上下に積み重ねた際に、上方のユニット部材１の筒状突出部３が下方のユニット部材１の筒部３の内部中空に入り込み積み重ねて収納することができる。
また、ユニット部材１の基盤部２は図示例の場合、平面（広面）が矩形となるプレートを示したが、この形状は特に限定されず、円形、楕円形、多角形等任意の形状からなっているものであってもよい。
この基盤部２の平面形状は、同一面状に連続して組み合わせ可能な公知形状に設定すれば組み合わせが容易になり好ましい。
【０００７】
次に、図２および図３に示すユニット部材１は、基盤部２に筒状突出部３を突設した構成からなっているが、上記基盤部２に透孔４が穿設された異なる実施例を示す。
このユニット部材１は、基盤部２が扁平なプレート状からなっており、その外周に沿って平面形状が正方形の枠状に立ち上がる縁部２１と、基盤部２の内部を縦横に交差して複数に仕切る縦横のリブ２２、２３とを有しており、該リブ２２、２３で囲まれた中央区画部分２４および外周区画部分２５と、これら中央区画部分２４および外周区画部分２５に形成される透孔４とからなっている。
【０００８】
この透孔４の大きさは用途により適宜大きさを設定することができ、ユニット部材１に収納ないし充填する物質がある場合にはこれらが抜け落ちない大きさに設定されることが望ましい。
次に前記縦横のリブ２２、２３は、中央区画部分２４において筒状突出部３につながるが、その中途位置で倒立梯形状に窪む凹部２５が形成されている。
また、筒部３の構成は前記実施例と同様であるので説明を省略する。
【０００９】
次に、ユニット部材１は筒状突出部３に充填物を充填してもよい。
即ち、基盤２上で開口３ａしている筒状突出部３は内部中空に充填材を収納することができる。
例えば、筒状突出部３に発泡スチロールや発泡スチレンなどの浮力があり比重の軽い物質を充填したり筒状突出部３の開口３ａを蓋材で閉じて密閉することによりユニット部材１の浮力を高めることができる。
【００１０】
あるいは、筒状突出部３にセメントその他の強度の高い物質を充填して耐荷重を高め、あるいは比重を重くして水没可能とする等、任意の物質を用途に応じて一体に充填することができる。
充填する物質は、筒状突出部３内部に充填することにより一体に接着または固着する充填物が好ましいが、一体とならない物質の場合には筒状突出部の下部開口を塞ぐ底蓋を設け底面部に連結すればよく、この発明において充填物の種類は限定されない。  このようにしてユニット部材１を水中に沈めたり、浮かせたりすることができる。
【００１１】
また、筒状突出部３には、ユニット部材１の上面を覆う蓋体３０を設けてもよい。
この蓋体３０は、図３で点線で示すように筒状突出部３の上端を嵌め込む孔３２と、通気、通水用の孔３３を有する略正方形のカバーで、上記孔３２が筒状突出部３に嵌着して拘束されるが、脚部３４を設けて高さ方向の強度を高めてもよい。
これにより、ユニット部材１内に土を入れて芝生や植物を生育する場合に上記蓋体３０が踏圧面となって植物を保護することができると共に雨水などを浸入させることができる。
【００１２】
次に、図６に示すユニット部材１は、筒状突出部３が二重の筒部からなっている異なる実施例を示す。
この場合、基盤２上には小径の中央筒部３’と、同心大径に設定された外側筒部３”とが形成されている。
この場合は上下方向に対する強度、耐性がより一層強くなる。
その他の構成は前記実施例と同様であるので説明を省略する。
【００１３】
次に、このユニット部材１は上下方向または横（縦横）方向に連結することができる。
この連結に用いる連結手段について図５および図７を参照して説明する。
本実施例では連結板はユニット部材１とは別体からなっている。
ここでユニット部材１にはその基盤部２の四隅に連結孔１３が穿設されている。
そして、連結板１０は、縦横に隣接するユニット部材１において４つのユニット部材１の基盤部２の連結孔１３が集合して４つの連結孔１３が集まった箇所に取り付けられる。
そして連結板１０には、ベース上に上記連結孔１３に嵌合係止する係止軸部１１が上下一対に且つ４カ所に対応して上下に各４つ合計８つ突設されている（図５、図７参照）。
【００１４】
ここで、ユニット部材１を同一面状で縦横に連結する場合には上下に連結することはないので、係止軸部１１を一方だけに４つ突出させたものを用いればよい。
この連結板１０を用いてユニット部材１を上下に重ねる場合には、基盤３、３相互が重なるように上下を逆にして配置し、上下の基盤の四隅で整合するそれぞれの連結孔１３に上記係止軸部１１を係止すればよい。
上記実施例では、係止軸部を設けたが、ボルト締め等の固定手段を設けて隣接するユニット部材１を一体に固定してもよい。
【００１５】
次に、連結筒１０’は、ユニット部材１を上下に交互に倒立させて連結する場合に、上下の筒状突出部３を連結するのに用いることができる。
この連結筒１０’は、中央に向かって放射状に複数のリブ１１’を突設し、該リブ１１’の内端で形成される孔が、高さ方向の中央で最も小径となり上下両端に向かって漸次大径に拡開する構造からなっており、上下対称に配置される一対の筒部３に先端が衝合して両者を係止することができるようになっている。
【００１６】
上記各実施例では、筒部相互、あるいは基盤相互を別体の連結板または連結筒を用いて連結する構成を例示したが、この発明では、筒部、あるいは基盤にそれぞれ連結手段を一体に設けていてもよい。
例えば基盤の一方の隣接する二辺には連結突２０部を設け、他の隣接する二辺には連結受部２０’を設けユニット部材１を９０度角度を代えて順次連結することができるなどの公知構成を用いることができる（図９参照）。
その他、ユニット部材１の連結構成は前記実施例に限定されず、種々の公知の構成を用いることができる。
【００１７】
次にユニット部材１の使用例を次に説明する。
このユニット部材１は、上下および縦横に多数組み合わせて連結し、例えば特公平４−２６６４８号に示したような地面を掘り下げたタンク部内に載置し、最上部に被覆手段を施すことにより、雨水等の貯留浸透施設に用いる。
そして、筒状突出部３にコンクリートを充填する等によりユニット部材１の強度を高めておけば、耐荷重性が向上するので、その上をグランドとして使用するばかりでなく、建造物を建設することもできる。
また、通水性を有する袋等に上下および縦横に連結したユニット部材１を収納して地下に埋設し、雨水の入り口を上部に設けておけば、小型の貯水槽として利用することができる。
【００１８】
更に、本実施例では、ユニット部材の筒部を積み重ね可能なようにテーパ面とした場合を例示したが、先端に向かって大径になる逆テーパ状あるいは段違いに拡開する形状、あるいは同一断面形状等、適宜形状であってもよい。
また、ユニット部材の使用に際しては正逆いずれの向きに用いてもよい。
例えば、接地面が、コンクリートや砕石の上である場合には突起部を上下逆にし基盤が上にくるように配置して利用に供してもよい（図８参照）。
上記実施例では、筒状突出部を截頭円錐状としてスタッキング可能とした場合を例示したが、柱状であってもよい。例えば断面十字状の柱体や、柱体に突軸を突設したもの等その断面形状は特に限定されるものではない。
その他、要するにこの発明の要旨を変更しない範囲で種々変更しうること勿論である。
【００１９】
【発明の効果】
この発明は、筒状突出部を有するので、強度が高まると共に、通水性を有するので、土中に埋設して使用することができる。
更に筒状突出部が中空に形成されているので、充填物を充填して浮力を高めたり比重を重くしたり剛性や強度を一層高めることができ、極めて有益である。
【図面の簡単な説明】
【図１】  ユニット部材の実施例の側面図。
【図２】  異なる実施例の平面図。
【図３】  蓋体を設けた実施例の側面図。
【図４】  突起部を無垢とした異なる実施例の側面図。
【図５】  連結板を用いて連結状態を示す平面図。
【図６】  二重に突起体を設けた場合の断面図。
【図７】  上下および左右に重ねた場合の側面図。
【図８】  ユニット部材をコンクリート等の床面に設置する場合の側面図。
【図９】  異なる使用例の側面図。
【符号の説明】
１・・・ユニット部材
２・・・基盤部
３・・・筒状突出部
４・・・透孔
【図１】
0004084437.tif 000002
【図２】
0004084437.tif 000003
【図３】
0004084437.tif 000004
【図４】
0004084437.tif 000005
【図５】
0004084437.tif 000006
【図６】
0004084437.tif 000007
【図７】
0004084437.tif 000008
【図８】
0004084437.tif 000009
【図９】
0004084437.tif 000010